【事件の表示】
　特願２００２−１４３４３６「グロメット」拒絶査定不服審判事件〔平成１５年１１月２８日出願公開、特開２００３−３３９１１０〕について、次のとおり審決する。
【結　論】
　本件審判の請求は、成り立たない。
【理　由】
第１　手続の経緯・本願発明
　本願は、平成１４年５月１７日の特許出願（２００２年特許願第１４３４３６号。以下、「本件出願」という。）であって、平成１９年５月２９日付けで拒絶査定（発送日：同年６月６日）されたところ、拒絶査定不服審判が同年７月６日に請求されるとともに同年８月１日付けで手続補正書が提出され、当審において平成２１年６月１日付けで通知した拒絶の理由に対し、意見書及び手続補正書が同年７月２３日に提出されたものであって、本件出願の請求項１に係る発明は、平成２１年７月２３日提出の手続補正書により補正された特許請求の範囲の記載からみて、その特許請求の範囲の請求項１に記載された事項により特定される次のとおりのものと認める。
　　　　　　　　
【請求項１】「取付板に形成された長円の取付孔に長尺部材を貫通保持するために、前記取付孔に挿通されるとともに断面が長軸直径と短軸直径とから成る長円をした長円筒状の挿通部と、前記挿通部の外側面に設けられて前記取付板の表面に密着する鍔部とを備え、前記挿通部の外周面が、当該外周面の周方向に連続する稜線を境界として、開放端部および前記鍔部に向かって先細りに形成されているグロメットであって、
　前記長軸直径と平行な稜線および前記短軸直径と平行な稜線を跨ぎかつ前記挿通部の軸線と直角な面に対して垂直又は斜めに延びて形成される切欠面が、前記挿通部の前記長軸直径の両端を通りかつ前記短軸直径に対して平行な直線と前記短軸直径の両端を通りかつ前記長軸直径に対して平行な直線との交差箇所近傍に設けられ、かつ前記切欠面を複数有していることを特徴とするグロメット。」
　　
第２　当審の拒絶理由 
　一方、当審において平成２１年６月２日付けで通知した拒絶の理由の概要は、本件出願の請求項１に係る発明は、本件出願の日より前に頒布された、　特開平１０−２４７５５０号公報に記載された発明に基づいて当業者が容易に発明をすることできたものであるから、特許法第２９条第２項の規定により特許を受けることができない、というものである。
 　　　 
 第３　引用刊行物記載の発明
（１）上記引用刊行物には、次の事項が図面とともに記載されている。（下線は当審で付与したものである。） 
（ａ）「【請求項１】比較的大径の固定鍔部の前面から同心円状に突出せしめた比較的小径の
係合鍔部
係合鍔部と前記固定鍔部との間に画成され、取付けパネルの貫通孔周縁を嵌入する環状溝
係合鍔部の外周径が前記貫通孔の開口径に近似する
【請求項２】前記係止リブが、前記係合鍔部の対向した湾曲部に少なくとも１対設けられていることを特徴とする請求項１記載のグロメット。 
【請求項３】前記係止リブが、前記湾曲部以外にも対向した位置に１対設けられていることを特徴とする請求項２記載のグロメット。 
 ・・・・・（中略）・・・・・ 
【請求項７】前記係止リブの嵌入側の面にテーパ状案内面が設けられていることを特徴とする請求項１乃至５に記載のグロメット。」 
 　 
（ｂ）「【０００３】図５および図６に示した従来のゴム一体形の蛇腹式
グロメット１は、比較的大径の長円形の固定鍔部５の前面から同心円状に突設された比較的小径の係合鍔部２が、例えばボディパネルＢＰ側の貫通孔ＰＨに対してそのテーパ状案内面３を当接させながら押し込むことで貫通孔ＰＨに挿通される
 　 
（ｃ）「【００１５】図１および図２に示すように本発明の第１実施の形態例のグロメット３０は、比較的大径の固定鍔部３５の前面から同心円状に突出した比較的小径の係合鍔部３１と、係合鍔部３１内にワイヤハーネスＷＨを挿通するワイヤハーネス挿通孔３６と、固定鍔部３５から延設された蛇腹部３７の端部にワイヤハーネス保持部３８を備えたゴム材からなる一体形のグロメットである。このグロメット３０の
係合鍔部３１と固定鍔部３５との間には取付けパネルＢＰの貫通孔ＰＨ周縁を嵌入する環状溝３３が形成されている
【００１６】本実施の形態例のグロメット３０は、
係合鍔部３１の外周径が貫通孔ＰＨの開径に近似した外周径に寸法設定されており
長円形の係合鍔部３１
【００１７】また、前記係止リブ３２ａ、３２ｂに対応した環状溝３３部分には、環状溝３３よりもさらに深い切欠溝３３ａが設けられている。即ち、切欠溝３３ａは係止リブ３２ａ、３２ｂに対応した係合鍔部３１の肉抜きを行い、薄肉にすることにより係止リブ３２ａ、３２ｂを撓み易くしたものである。従って、切欠溝３３ａの溝深さＨ3 は貫通孔ＰＨの開口縁に対して係止リブ３２ａ、３２ｂを撓み易くし且つ取付けパネルへの保持力を確保する程度の寸法設定が成されている。よって、取付けパネルＢＰへの保持力を係止リブ３２ａ、３２ｂによって確保しつつ、取付けパネルＢＰへの取付け作業を低挿入力で行うことができる。 
【００１８】また、前記
係止リブ３２ａ、３２ｂの嵌入側の周面上にテーパ状案内面３４が設けられている
【００１９】次に、本実施の形態のグロメット３０の取付けパネルへの取付け手順を説明する。先ず、
固定鍔部３５に穿設されたワイヤハーネス挿通孔３６にワイヤハーネスＷＨが挿通される
固定鍔部３５から延設された蛇腹部３７の端部にあるワイヤハーネス保持部３８によってワイヤハーネスＷＨが所定位置に保持される
【００２０】上述したように本実施の形態のグロメット３０によれば、
長円形の係合鍔部３１の対向した湾曲部に短辺の係止リブ３２ａが１対設けられており
長円形の直線部分に長辺の係止リブ３２ｂが１対設けられており
 　　　　　 
（ｄ）図１及び図２には、（ｄ−１）取付けパネルＢＰが環状溝３４に嵌入されたとき、
固定鍔部３５の環状溝３４側の面全体が隙間なく取付けパネルＢＰ面と接する
係合鍔部３１の係止リブ３２ａ、３２ｂのテーパ状案内面３４が、外周方向に拡大するよう形成され、頂上部に達した後、長円状の環状溝３４が設けられた内周方向に縮小するように形成される
ワイヤハーネスＷＨが挿通される
 　　　　　　　　　　　　　　　　 
　上記摘記事項（ａ）〜（ｄ）の記載のうち、特に、（ａ）、（ｃ）及び（ｄ）の記載を参照すると、上記刊行物刊行物には、 
「外周径が取付けパネルＢＰの貫通孔ＰＨの開口径に近似し寸法設定された長円形の係合鍔部３１と、 
　取付けパネルＢＰ面と環状溝３４側で面全体が隙間なく接する固定鍔部３５と、 
　係合鍔部３１と固定鍔部３５との間に形成され、取付けパネルＢＰの貫通孔ＰＨ周縁を嵌入する環状溝３４と、 
　係合鍔部３１の外周縁から配設され、長円形の係合鍔部３１の対向した湾曲部に１対設けられた短辺の係止リブ３２ａと長円形の直線部分に１対設けられた長辺の係止リブ３２ｂとを備え、 
　固定鍔部３５から延設された蛇腹部３７の端部にあるワイヤハーネス保持部３８によってワイヤハーネスＷＨが所定位置に保持されるとともに、 
　短辺の係止リブ３２ａ、長辺の係止リブ３２ｂは、テーパ状案内面３４が外周方向に拡大するよう形成され、頂上部に達した後、環状溝３４が設けられた内周方向に縮小するように形成されたグロメット３０。」 
　の発明（以下、「引用発明」という。）が記載されている。
 　　　 
第４　対比・判断 
（４−１）本願発明と引用発明とを対比する。 
（i）引用発明の「取付けパネルＢＰ」、「貫通孔ＰＨ」及び「ワイヤハーネスＷＨ」が、それぞれ本願発明の「取付板」、「取付孔」及び「長尺部材（に相当する。 
　そして、長円形の係合鍔部３１の外周径が、引用発明の「取付けパネルＢＰの貫通孔ＰＨ」の開口径に近似して寸法設定されていることから、引用発明の「取付けパネルＢＰの貫通孔ＰＨ」が、本願発明の「取付板に形成された長円の取付孔」に相当する。 
　さらに、引用発明のグロメット３０は、グロメット３０の固定鍔部３５から延設されたるワイヤハーネス保持部３８によってワイヤハーネスＷＨが所定位置に保持されることから、本願発明と同様に「取付板に形成された長円の取付孔に長尺部材を貫通保持する」ものである。 
（ii）上記引用刊行物の摘記事項（ｃ）には、「【００１５】・・・このグロメット３０の係合鍔部３１と固定鍔部３５との間には取付けパネルＢＰの貫通孔ＰＨ周縁を嵌入する環状溝３３が形成されている。・・・【００１９】・・・次に、縦方向に設けられた１対の短辺の係止リブ３２ａ、３２ａの内、下方側の係止リブ３２ａを取付けパネルＢＰの貫通孔ＰＨの開口縁に予め引っ掛ける。そして、斜めの状態から横方向に設けられた１対の長辺の係止リブ３２ｂ、３２ｂおよび上方側の係止リブ３２ａを押し込むと、各々に切欠溝３３ａが設けられているので係止リブ３２ａ、３２ｂは容易に撓み、低挿入力で貫通孔ＰＨに嵌入させることができる。」ことが記載されていることから、引用発明の「短辺の係止リブ３２ａ、長辺の係止リブ３２ｂ」は、取付けパネルＢＰの貫通孔ＰＨに低挿入力で押し込むことができるものであり、さらに、引用発明の取付けパネルＢＰの貫通孔周縁ＰＨを嵌入する環状溝３４は係合鍔部３１と固定鍔部３５との間に形成され、また、短辺の係止リブ３２ａ及び長辺の係止リブ３２ｂは係合鍔部３１の外周縁から配設されていることから、引用発明の「短辺の係止リブ３２ａ、長辺の係止リブ３２ｂ」が取付けパネルＢＰの貫通孔ＰＨに低挿入力で押し込まれて、取付けパネルＢＰの貫通孔周縁ＰＨが環状溝３４に嵌入されたときには、引用発明の「係合鍔部３１」も、取付けパネルＢＰの貫通孔ＰＨに押し込まれることは明らかである。そうすると、引用発明の「短辺の係止リブ３２ａ、長辺の係止リブ３２ｂ」及び「係合鍔部３１」が本願発明の「取付孔に挿通される」「挿通部」に相当する。そして、上記引用刊行物の摘記事項（ｄ）には「係合鍔部３１は長円形の開口部が形成され、固定鍔部３５に穿設されたワイヤハーネス挿通孔３６とともにワイヤハーネスＷＨが挿通される」ことが記載されており、さらに、係合鍔部３１は長円形であることから、引用発明の「短辺の係止リブ３２ａ、長辺の係止リブ３２ｂ」及び「係合鍔部３１」は、本願発明の「取付孔に挿通される」「挿通部」と同様に「断面が長軸直径と短軸直径とから成る長円をした長円筒状の挿通部」である。 
（iii）引用発明の「固定鍔部３５」が本願発明の「鍔部」に相当する。 
　そして、引用発明の「固定鍔部３５」は、取付けパネルＢＰ面と環状溝３４側で面全体が隙間なく接するから、本願発明の「鍔部」と同様に「挿通部の外側面に設けられて前記取付板の表面に密着する」ものである。 
 （iv）引用発明の「短辺の係止リブ３２ａ、長辺の係止リブ３２ｂ」は、「テーパ状案内面３４が外周方向に拡大するよう形成され、頂上部に達した後、環状溝３４が設けられた内周方向に縮小するように形成され」ており、「テーパ状案内面３４」、「頂上部」及び「環状溝３４が設けられた内周方向に縮小するように形成され」ることが、それぞれ、本願発明の「開放端部」、「稜線」及び「鍔部に向かって先細りに形成されている」ことに相当する。 
　そうすると、引用発明の「短辺の係止リブ３２ａ、長辺の係止リブ３２ｂ」及び「係合鍔部３１」を備えた「グロメット３０」は、本願発明の「グロメット」と同様に、「挿通部の外周面が、当該外周面の周方向に連続する稜線を境界として、解放端部および前記鍔部に向かって先細りに形成されている」ものである。 
（v）引用発明の「短辺の係止リブ３２ａ」及び「長辺の係止リブ３２ｂ」は、それぞれ、長円形の係合鍔部３１の対向した湾曲部及び長円形の直線部分にそれぞれ１対づつ係合鍔部３１の外周縁から配設されて設けられており、さらに、上記引用刊行物の摘記事項（ｄ）には「係合鍔部３１の係止リブ３２ａ、３２ｂは係合鍔部３１の長軸及び短軸に対称に形成する」ことが記載されていることから、引用発明のグロメット３０は、長円形の係合鍔部３１の長軸及び短軸にそれぞれ１対の「短辺の係止リブ３２ａ」及び「長辺の係止リブ３２ｂ」が設けられ、長円形の係合鍔部３１の長軸及び短軸以外の対象な位置には係止リブは設けられていないことになる。 
 　そして、本件出願の図３を参照すると、切欠面は稜線に対して凹状となっていることから、引用発明の「長円形の係合鍔部３１に係止リブが設けられていない部分」と本願発明の「切欠面」とは「凹部」で共通するものである。
　さらに、引用発明の「短辺の係止リブ３２ａ」及び「長辺の係止リブ３２ｂ」は、テーパ状案内面３４が外周方向に拡大するよう形成され、頂上部に達した後、環状溝３４が設けられた内周方向に縮小するように形成されるとともに、上記引用刊行物の摘記事項（ｄ）には「係止リブ３２ａ、３２ｂがない部分が係合鍔部３１の開口部の軸線と平行に形成される」ことが記載されており、係止リブ３２ａ、３２ｂがない部分が係合鍔部３１の開口部の軸線に直角な面に対して垂直に伸びて形成されることと等価であるから、引用発明の「長円形の係合鍔部３１に係止リブが設けられていない部分」と本願発明の「切欠面」とは「凹部」とは「軸直径と平行な稜線および前記短軸直径と平行な稜線を跨ぎかつ前記挿通部の軸線と直角な面に対して垂直又は斜めに延びて形成される凹部」である点で共通するものである。
　さらに、上記引用刊行物の摘記事項（ｄ）の（ｄ−４）及び（ｄ−５）にはそれぞれ「係合鍔部３１の係止リブ３２ａ、３２ｂは係合鍔部３１の長軸及び短軸に対称に形成する」こと、及び「係止リブ３２ａ、３２ｂがない部分が係合鍔部３１の開口部の軸線と平行に形成されるとともに、係合鍔部３１の長軸に平行な係止リブ３２ｂの先端部に沿った直線と係合係合鍔部３１の短軸に平行な係止リブ３２ａの先端部に沿った直線とが交差する場所の近くに形成する」ことが記載されていることから、引用発明の「長円形の係合鍔部３１に係止リブが設けられていない部分」と本願発明の「切欠面」とは、「挿通部の長軸直径の両端を通りかつ短軸直径に対して平行な直線と短軸直径の両端を通りかつ長軸直径に対して平行な直線との交差箇所近傍に設けられ、かつ前記凹部を複数有している」点で共通する。 
（vi）引用発明の「グロメット３０」が本願発明の「グロメット」に相当する。 
 　　　　　　　　　 
　そうすると、本願発明と引用発明とは、 
「取付板に形成された長円の取付孔に長尺部材を貫通保持するために、前記取付孔に挿通されるとともに断面が長軸直径と短軸直径とから成る長円をした長円筒状の挿通部と、
　前記挿通部の外側面に設けられて前記取付板の表面に密着する鍔部とを備え、
　前記挿通部の外周面が、当該外周面の周方向に連続する稜線を境界として、開放端部および前記鍔部に向かって先細りに形成されているグロメットであって、
　前記長軸直径と平行な稜線および前記短軸直径と平行な稜線を跨ぎかつ前記挿通部の軸線と直角な面に対して垂直又は斜めに延びて形成される凹部が、
　前記挿通部の前記長軸直径の両端を通りかつ前記短軸直径に対して平行な直線と
　前記短軸直径の両端を通りかつ前記長軸直径に対して平行な直線との交差箇所近傍に設けられ、
　かつ前記凹部を複数有していることを特徴とするグロメット。」　 
　である点で一致し、他方、下記の（相違点）で相違するものである。 
 　　 
（相違点） 
　凹部が、本願発明においては、「切欠面」であるのに対して、引用発明においては、長円形の係合鍔部３１の外周縁に係止リブが設けられていない部分である点。
　  　　　　　　　　　　　　　　　 
（４−２）当審の判断 
　上記（相違点）について検討する。 
　上記引用刊行物の摘記事項（ｂ）には、従来例として「比較的大径の長円形の固定鍔部５の前面から同心円状に突設された比較的小径の係合鍔部２」を有し、係合鍔部２には「テーパ状案内面３」を設けたグロメットが記載されている。 
　ここで、引用発明の「長円形の係合鍔部３１の対向した湾曲部に１対設けられた短辺の係止リブ３２ａと長円形の直線部分に１対設けられた長辺の係止リブ３２ｂ」を備えたグロメットと、上記従来のグロメットとを対照させると、前者のグロメットは、後者のグロメットにおける「比較的小径の係合鍔部２」の外周の一部を４箇所取り除いて、長円形の係合鍔部３１の外周縁に係止リブが設けられていない部分を形成し、他の部分を「短辺の係止リブ３２ａと長辺の係止リブ３２ｂ」として残したものとしてとらえることができ、さらに、凹部を切り欠いて形成することは、例えば、特開平４−１８５８４６号公報の３頁左上欄１３〜１５行，第１図、実願平５−４１８３１号（実開平７−５９６３号）のＣＤ−ＲＯＭの１４頁９，１０行、特開平７−２９８４５５号公報の４頁５欄４，５行、又は特開平１０−１２０７０号公報の２頁２欄１１〜１３行、特開２００１−１３３０３２号公報の５頁７欄１３〜１４行，図９に記載されているように、一般に周知であることから、引用発明の長円形の係合鍔部３１の外周縁に係止リブが設けられていない部分を切り欠いて凹部を形成し、切欠面とすることは当業者が容易になし得るものである。 
 　　 
　そして、本願発明によってもたらされる効果は、引用発明及び周知の技術事項から予測される範囲内のものであって、格別のものではない。
　したがって、本願発明は、引用発明及び周知の技術事項に基づいて当業者が容易に発明をすることができたものと認められる。
　　　　　　　　 　　　　
第５　むすび
　以上のとおり、本願発明は特許法第２９条第２項の規定により特許を受けることができないものであるので、本件出願は、当審で通知した上記拒絶の理由によって拒絶をすべきものである。
　よって、結論のとおり審決する。